(57)【要約】【課題】組み立て、折り畳みが非常に簡単で全体をコンパクトに折り畳むことができ、持ち運びや保管に便利であり、また構成が簡素で軽量であり、安価に製造することができるペット収納ボックスを提供する。【解決手段】ペット収納ボックス１の形態を保持する保形枠体３と、保形枠体３で保持されるカバー体２から構成されている。カバー体２は柔軟性を有する袋体である。保形枠体３は、収納ボックス１の平面方向を保持する横枠部４と、側面方向を保持する縦枠部５を有しており、横枠部４と縦枠部５とを軸受部４ｂにおいて折り畳み可能に連結している。保形枠体の横枠部４は矩形に構成し、縦枠部５をコ字形に構成している。【選択図】図２
0003139025.tif 000002
【実用新案登録請求の範囲】
【請求項１】
持ち運び可能なペット収納ボックスであって、前記収納ボックスの形態を保持する保形枠体と、該保形枠体で保持されるカバー体から構成され、前記保形枠体を折り畳み可能に構成したことを特徴とするペット収納ボックス。
【請求項２】
前記カバー体は柔軟性を有する袋体であることと特徴とする請求項１に記載のペット収納ボックス。
【請求項３】
前記保形枠体は、前記収納ボックスの平面方向を保持する横枠部と、側面方向を保持する縦枠部を有しており、前記横枠部と前記縦枠部とを折り畳み可能に連結したことを特徴とする請求項１又は２に記載のペット収納ボックス。
【請求項４】
前記保形枠体の横枠部を矩形に構成し、前記縦枠部をコ字形に構成するとともに、該縦枠部の開放両端部を前記横枠部に回動可能に連結したことを特徴とする請求項３に記載のペット収納ボックス。
【請求項５】
前記保形枠体の横枠部と縦枠部の連結は、前記横枠部に軸受管を固定し、該軸受管に前記縦枠部の開放両端部を軸支したものであることを特徴とする請求項３又は４に記載のペット収納ボックス。
【請求項６】
前記保形枠体の横枠部を前記収納ボックスの上面部に配置するとともに、前記縦枠部を前記収納ボックスの左右側面部に配置したことを特徴とする請求項３〜５のいずれか一項に記載のペット収納ボックス。
【請求項７】
前記保形枠体の縦枠部に、前記カバー体との止着部材を設けたことを特徴とする請求項３〜６のいずれか一項に記載のペット収納ボックス。
【請求項８】
前記止着部材は、前記保形枠体の縦枠部に巻着した帯体と、前記カバー体の対応した位置に設けた止着ボタンであることを特徴とする請求項７に記載のペット収納ボックス。
【請求項９】
前記カバー体の、前記保形枠体の横枠部と対応する上面部に開閉蓋を設けるとともに、前記縦枠部と対応する側面部に開口部を設け、該開口部にメッシュ扉を開閉可能に設けたことを特徴とする請求項１〜８のいずれか一項に記載のペット収納ボックス。
【請求項１０】
前記カバー体の上端部に枠体包持部を設け、該枠体包持部に前記保形枠体を保持することを特徴とする請求項１〜９のいずれか一項に記載のペット収納ボックス。
【請求項１１】
前記カバー体の内部に、ペット飛び出し防止用のベルトを設けたことを特徴とする請求項１〜１０のいずれか一項に記載のペット収納ボックス。
【請求項１２】
前記カバー体は、防水処理をした合成繊維布地であることを特徴とする請求項１〜１１のいずれか一項に記載のペット収納ボックス。
【請求項１３】
前記収納ボックスの底面部にトレイを敷設するとともに、前記保形枠体の縦枠部の下端枠部に、該トレイを止着するためのトレイ止着部を設けたことを特徴とする請求項３〜１２のいずれか一項に記載のペット収納ボックス。
【請求項１４】
前記トレイ止着部は、前記保形枠体の縦枠部の下端部に凸曲部を形成し、前記トレイに該凸曲部と係合する凹部を形成したものであることを特徴とする請求項１３に記載のペット収納ボックス。
【請求項１５】
前記トレイに、中敷を敷設し、該中敷で前記保形枠体の縦枠部のトレイ止着部を隠蔽することを特徴とする請求項１３又は１４に記載のペット収納ボックス。
【考案の詳細な説明】
【技術分野】
【０００１】
本考案は、ペットの持ち運びに便利なペット収納ボックスに関するものである。
【背景技術】
【０００２】
犬、猫等の小型ペットを持ち運ぶためのペット収納ボックスは、従来から多種類のものが提案されている。一例として特許文献１には、上面に開口部を有するメッシュ状の袋体を複数のワイヤーフレームで保持し、隣接するワイヤーフレームを筒状補強ベルトで拘束した構造のペット収納ボックスが開示されている。また特許文献２には、側壁部を上下の側壁版で折り畳み可能に構成するとともに、左右両側扉をボックスの内方に揺動可能に連結したペット収納ボックスが開示されている。
【０００３】
【特許文献１】特開２００６−１７４７１２号公報
【特許文献２】特開２００２−１５９２３５号公報
【考案の開示】
【考案が解決しようとする課題】
【０００４】
しかしながら、特許文献１で提案されたペット収納ボックスは、車両に固定したときの衝撃吸収性を重視した構造であるため、各ワイヤーフレームは強固に拘束されており、未使用時にはそのままの形態で持ち運びまたは保管しなければならないという不便がある。また特許文献２で提案されたペット収納ボックスは、簡単に組立、折り畳みが可能であるが、天井部、床部、側壁部、左右扉等がプラスチック等の成型品で構成されているため、ペットを持ち運ぶ際、とくに女性や子供にとって総重量が重くなる等の不利がある。
【０００５】
本考案は、上述した課題を解決するために提案されたものであり、組み立て、折り畳みが非常に簡単で全体をコンパクトに折り畳むことができ、持ち運びや保管に便利であり、また構成が簡素で軽量であり、安価に製造することができるペット収納ボックスを提供するものである。
【課題を解決するための手段】
【０００６】
上記課題を解決するため、本考案のペット収納ボックスにあっては、持ち運び可能なペット収納ボックスであって、前記収納ボックスの形態を保持する保形枠体と、該保形枠体で保持されるカバー体から構成され、前記保形枠体を折り畳み可能に構成したことを特徴とする。
【０００７】
ここでは、保形枠体、カバー体、保形枠体の折り畳み構造等は特に限定されるものではなく、保形枠体は、金属等のワイヤー枠、プラスチック等の成形枠等が含まれる。またカバー体は、ペット収納ボックスの全面を被覆するもの又は周側面等の一部を被覆するもの等が含まれる。カバー体の素材は、柔軟性のあるシート体のほかに、蛇腹板、複数の分割板を回動可能に連結した折り畳み板等が含まれる。
【０００８】
このようにすると、ペット収納ボックスを折り畳みの際は、保形枠を折り畳むだけでカバー体も伸縮し、非常に簡単に、かつコンパクトに折り畳むことができる。また、構成も簡単であるから軽量化が可能であり、安価に製造できる。このような作用効果は、以下の手段を採用することにより、さらに効果的に実現できる。
【０００９】
即ち、本考案の前記カバー体は柔軟性を有する袋体であることと特徴とする。このようにすると、保形枠を折り畳むと同時にカバー体も簡易に折り畳まれる。カバー体は袋体とすることで、組み立て、折り畳みの取り扱い等が簡単になる。
【００１０】
また、本考案の前記保形枠体は、前記収納ボックスの平面方向を保持する横枠部と、側面方向を保持する縦枠部を有しており、前記横枠部と前記縦枠部とを折り畳み可能に連結したことを特徴とする。
【００１１】
平面方向とは、収納ボックスの上面部、底面部等を含み、側面方向とは、左右両側面部、正面部、背面部等を含んでいる。このような横枠部と縦枠部の組み合わせにより、収納ボックスの形態を強固に保持することができる。
【００１２】
また、本考案は前記保形枠体の横枠部を矩形に構成し、前記縦枠部をコ字形に構成するとともに、該縦枠部の開放両端部を前記横枠部に回動可能に連結したことを特徴とする。
【００１３】
このようにすると、保形枠体の形状が簡単で、成形も容易である。ここでの矩形、コ字形は厳格に解釈すべきではなく、その近似形も含まれる。
【００１４】
また、本考案の前記保形枠体の横枠部と縦枠部の連結は、前記横枠部に軸受管を固定し、該軸受管に前記縦枠部の開放両端部を軸支したものであることを特徴とする。これにより、縦枠部を横枠部に簡単な構成で回動可能に連結することができる。
【００１５】
また、本考案は前記保形枠体の横枠部を前記収納ボックスの上面部に配置するとともに、前記縦枠部を前記収納ボックスの左右側面部に配置したことを特徴とする。これにより必要最小限の位置に保形枠体を配置し、カバー体を保持することができる。
【００１６】
また、本考案は前記保形枠体の縦枠部に、前記カバー体との止着部材を設けたことを特徴とする。これにより、組み立て時に縦枠部をカバー体に止着することができ、縦枠部が不意に回動することを防止できる。
【００１７】
また、本考案の前記止着部材は、前記保形枠体の縦枠部に巻着した帯体と、前記カバー体の対応した位置に設けた止着ボタンであることを特徴とする。これにより、枠体止着部材を簡単な構成で実現できる。
【００１８】
また、本考案は前記カバー体の、前記保形枠体の横枠部と対応する上面部に開閉蓋を設けるとともに、前記縦枠部と対応する側面部に開口部を設け、該開口部にメッシュ扉を開閉可能に設けたことを特徴とする。
【００１９】
開閉扉は、カバー体と一体でも別体でもよい。閉じたときの止着手段は任意でありファスナ、粘着テープ、止着ボタン等がある。開口部とメッシュ扉を設ける位置は、左右両側面部でも、一方の側面部でもよい。メッシュ扉は、扉の全面又は一部をメッシュとすることができる。
【００２０】
また、本考案は前記カバー体の上端部に枠体包持部を設け、該枠体包持部に前記保形枠体を保持することを特徴とする。
【００２１】
枠体包持部は、特に限定されないが、枠体を挿通する筒状体、枠体を挟持するクランプ部材等であり、筒状体とした場合は、保形枠の全長を保持するものであっても部分的に保持するものであってもよい。枠体包持部はカバー体と同素材のものを一体構成にしてもよいし、あるいはプラスチック等の別素材の枠体包持部をカバー体に固着してもよい。
【００２２】
また、本考案は前記カバー体の内部に、ペット飛び出し防止用のベルトを設けたことを特徴とする。このようにすると、ペットを同ベルトに連結しておくことで収納ボックスの開閉蓋やメッシュ扉を開けた際に、ペットが不意に外に飛び出すのを防止できる。
【００２３】
また、本考案の前記カバー体は、防水処理をした合成繊維布地であることを特徴とする。このようにすると、雨の日であってもカバー体の防水効果により収納ボックス内の居住環境が良好に維持される。
【００２４】
また、本考案は前記収納ボックスの底面部にトレイを敷設するとともに、前記保形枠体の縦枠部の下端枠部に、該トレイを止着するためのトレイ止着部を設けたことを特徴とする。
【００２５】
ここでのトレイは、特に限定されないが、ペットシーツ、猫砂等を敷設する排泄物処理材収納用のトレイを使用することができる。また目的に応じて、保温板、冷却板等を使用してもよく、単に収納ボックスの底面部を平面に保つための安定板等を使用することもできる。トレイを保形枠体の縦枠部で止着することにより、トレイの移動を防止できるとともに、トレイによって収納ボックス底面部の形態及び安定性が確保できる。ここでのトレイ止着部は、トレイと脱着できる構造であれば任意である。
【００２６】
また、本考案の前記トレイ止着部は、前記保形枠体の縦枠部の下端部に凸曲部を形成し、前記トレイに該凸曲部と係合する凹部を形成したものであることを特徴とする。
【００２７】
このようにすると、保形枠体の縦枠部とトレイの一部を簡単な形状に成形するだけで、トレイ止着部を簡単に実現できる。ここでトレイに形成される凹部とは、平面に対して窪んだ形状のほかに、同一平面上に凸曲部の移動を規制する突起部等を形成した形態も含まれる。
【００２８】
また、本考案は前記トレイに、中敷を敷設し、該中敷で前記保形枠体の縦枠部のトレイ止着部を隠蔽することを特徴とする。このようにすると、トレイ止着部がペットの悪戯で解除されることがなくなり、排泄物で汚れることもなく、外観上の体裁も良くなる。
【考案の効果】
【００２９】
上述した本考案のペット収納ボックスによれば、組み立て、折り畳みが非常に簡単で全体をコンパクトに折り畳むことができ、持ち運びや保管に便利であり、また構成が簡素で軽量であり、安価に製造することができる、等の効果を得ることができる。
【考案を実施するための最良の形態】
【００３０】
以下、本考案の実施形態を添付図面に従って説明する。図１は本考案のペット収納ボックスの全体斜視図、図２は同じくペット収納ボックスの内部構成を示す斜視図、図３は同じく保形枠体の全体構成を示す斜視図である。なお、図２と図３では、分かりやすくするためカバー体の細部は省略している。
【００３１】
図２に示すように、本考案のペット収納ボックス１は、袋状のカバー体２と、このカバー体２を所定形態に保持するための保形枠体３から構成されている。保形枠体３は、平面方向を保持する横枠部４と、側面方向を保持する左右の縦枠部５，５から成っており、ここでは横枠部４が収納ボックス１の上面部の位置に配置され、縦枠部５，５が左右両側面部の位置に配置されている。
【００３２】
横枠部４は図３に示すようにワイヤー枠で矩形に成形されており、収納ボックス１の左右両側面部の上端部に位置する短辺部４ａ、４ａには軸受管４ｂ，４ｂがそれぞれ固定されている。また、長辺部４ｃ，４ｃの一方又は両方にはクッション材６が装着されており、運搬人の足腰等に当たったときの衝撃を吸収している。
【００３３】
縦枠部５，５はワイヤー枠でコ字形に成形されており、上端部の開放両端部は横枠部４の短辺部４ａに固定された軸受管４ｂ，４ｂに回動可能に軸支されている。また、縦枠部５，５の下端部には後述する排泄物処理材収納トレイ１０の止着部となる凸曲部５ａ，５ａが形成されている。
【００３４】
上述の保形枠体３は、ここでは金属製のワイヤーであるがプラスチック枠、木枠等、カバー体２を所定形状に保持できる剛性を有するものであればよい。
【００３５】
カバー体２は、ここでは有底ボックス形の袋体であり、図２に示すように、横枠部４に対応する上面部が開閉蓋２ａとなっている。この開閉蓋２ａはカバー体２と一体であり、側縁部に設けられたファスナ２ｂ等によりカバー体２の上端部と止着できるようになっている。
【００３６】
また、カバー体２の一方の側面部には開口部２ｃが開口しており、この開口部２ｃを開閉するメッシュ扉２ｄがカバー体２と一体に設けられている。メッシュ扉２ｄは、側縁部に設けられたファスナ２ｉ等によりカバー体２の側面部と止着できるようになっている。なお、開口部２ｃの上端部と開閉蓋２ａの先端部には、開閉蓋２ａを仮止めするための脱着テープ２ｅ，２ｅが設けられている。
【００３７】
カバー体２の内部適所には、図２に示すように、ペット飛び出し防止用ベルト７が固定されており、ペットの首輪等と連結してペットが不意にペット収納ボックス１の外部に飛び出すのを防止している。また、袋カバー２の外側には図１に示すように、把手ベルト２ｆ、小物入れポケット２ｇ等の付帯品が設けられている。
【００３８】
なお、カバー体２は、ここでは柔軟性を有するポリエステル繊維布地を使用し、裏面にポリウレタンコーティングの防水処理を施している。
【００３９】
保形枠体３は、図６に示すようにカバー体２の上端縁部に設けられた枠体保持部材２ｈ，２ｈで保持されている。ここではカバー体２の正面部と背面部及び左右両側面部の上端部にカバー体と同じ素材で筒状の枠体包持部２ｈ，２ｈが縫着され、この枠体包持部２ｈ，２ｈに横枠部４の短辺部４ａ，４ａと長辺部４ｃを挿入することで保形枠体３を保持している。
【００４０】
また、保形枠体３の縦枠部５，５は、図６に示すように枠体止着部材１２により止着されている。枠体止着部材１２は、縦枠部５，５の下端両側部に巻着された帯体１２ａ，１２ａと、カバー体２の対向位置に一対の雄雌止着ボタン１２ｂ，１２ｃを固着し、両止着ボタン１２ｂ，１２ｃを止合することにより縦枠部５，５をカバー体２の側面部に止着している。
【００４１】
ペット収納ボックス１の底面部には、図２に示すような排泄物処理材収納用のトレイ１０が取り出し可能に敷設され、このトレイ1０に市販のペットシーツが収納される。トレイ1０は、底浅の容器であり底面部の長さ方向両端部には、図４に詳示するような突条部１０ａ，１０ａが突設され、これによって底面部の側端部に狭隘の係合凹部１０ｂ，１０ｂが形成されている。この係合凹部１０，１０ｂには、上記した縦枠部５，５の凸曲部５ａ，５ａが係入され、トレイ１０がペット収納ボックス１の底面部に止着される。
【００４２】
ペットシーツは、図２に示すような中敷１１に被着してトレイ１０にされる。中敷１１は、ここではポリエステル等のプラスチック製の平板体であり、図５に示すように裏面側四隅部に止着ボタン等のシーツ止着部材１１ａが設けられている。この中敷１１は、上記縦枠部５，５の凸曲部５ａ，５ａでトレイ１０を止着したとき、凸曲部５ａ，５ａを隠蔽できる程度の大きさである。
【００４３】
ペットシーツの被着は、中敷１１の表面側にペットシーツを被せた後、シーツ端縁部を裏面側に折り返し、そのシーツ端縁部を複数のシーツ止着部材１１ａで止着するものである。
【００４４】
次に、上述した本考案のペット収納ボックス１の使用例を説明する。まず、収納ボックス１を組み立てるときは、図２に示すように収納ボックス１の底面部にトレイ１０を敷設した後、保形枠体３の縦枠部５，５を下向きに回動させ、凸曲部５ａ，５ａをトレイ１０の突条部１０ａ，１０ａを乗り越えて係合凹部１０ｂ，１０ｂに係入する。また、上記した枠体止着部材１２，１２により縦枠部５，５をカバー体２の側面部に止着する。これにより保形枠体３によりカバー体２をボックス形状に保持される。なお、トレイ１０の上面部に上記したように中敷１１に被着したペットシーツを載置し、その側端部で縦枠部凸曲部５ａ，５ａを隠蔽するように配置する。
【００４５】
この状態で開閉蓋２ｂを開けてペットを収納ボックス１に入れ、ペットの首輪等にペット飛出防止用ベルト７を連結するとともに、開閉蓋２ａとメッシュ扉２ｄのファスナを閉じ、把手ベルト２ｆを持って持ち運ぶ。通気性はメッシュ扉２ｄで確保されるが、収納ボックス内部のペットの様子を観察したいときなどには、メッシュ扉２ｄを開いて開口部２ｃからペットを出したり、手で撫でたりすることができる。
【００４６】
収納ボックス１の未使用時には、枠体止着部材１２，１２を離脱するとともに、保形枠体３の縦枠部５，５を上方に回動させて凸曲部５ａ，５ａとトレイ１０の係合凹部１０の係合を解除し、トレイ１０と中敷１１に被着されたペットシーツを収納ボックス１から取り出す。その後、図７（カバー体２の細部は省略して示している）に示すように、縦枠部５，５を横枠部４の位置まで回動させ、柔軟性を有するカバー体２の中央部を内方に折り曲げた状態に収納ボックス１を折り畳むことができる。
【００４７】
上述した実施態様は、本考案の一例を示したものであり、カバー体２、保形枠体３その他の構成部材は、本考案の要旨にしたがって適宜変更することができる。例えばペット収納ボックス１の全体形状を五面体等の多面体とし、それに応じて保形体３、カバー体２の形状を変更することができる。
【図面の簡単な説明】
【００４８】
【図１】本考案のペット収納バッグの全体外観斜視図である。
【図２】同じく内部構成を説明するための斜視図である。
【図３】同じく保形枠体の全体構成を示す斜視図である。
【図４】同じくトレイの止着部の構成を示す断面図である。
【図５】同じく中敷の裏面側の斜視図である。
【図６】同じくペット収納バッグの内部側面部の拡大斜視図である。
【図７】同じくペット収納バッグを折り畳んだ状態の斜視図である。
【符号の説明】
【００４９】
１はペット収納ボックス
２はカバー体
２ａは開閉蓋
２ｃは開口部
２ｄはメッシュ扉
３は保形枠体
４は保形枠体の横枠部
４ｂは軸受部
５は保形枠体の縦枠部
５ａは凸曲部
６はクッション材
１０はトレイ
１０ａは突条部
１０ｂは系合凹部
１１は中敷
１２は枠体止着部材
【図１】
0003139025.tif 000003
【図２】
0003139025.tif 000004
【図３】
0003139025.tif 000005
【図４】
0003139025.tif 000006
【図５】
0003139025.tif 000007
【図６】
0003139025.tif 000008
【図７】
0003139025.tif 000009